(57)【要約】【課題】    下層設定画面を表示させた際にも上層設定画面の設定内容を容易に確認できる下層表示機能を実現すること。【解決手段】  基本機能画面Ｗ１を表示部に表示させた状態で、ユーザによって応用機能キーＫ３の押下操作が為されると、制御部は表示部に基本機能画面Ｗ１を応用機能画面Ｗ３に切り替えて表示させる。このとき、制御部は基本機能画面Ｗ１に表示させていた設定項目数を設定画面情報テーブルから読み出し、応用機能画面Ｗ３の未表示領域Ｔ１３に縮小かつ集約して表示させるための各設定項目表示位置を算出する。そして、算出した表示位置をもとに、制御部は未表示領域Ｔ１３に基本機能画面Ｗ１の設定内容を縮小かつ集約させた縮小集約表示にて表示させる。【選択図】  図９
2005057579.tif 000002
【特許請求の範囲】
【請求項１】
画像形成のための設定内容を表示する上層設定画面と下層設定画面とを表示する画像形成装置の操作部用表示装置において、
前記上層設定画面を前記下層設定画面に切り替えて表示させるとともに、前記上層設定画面に表示されていた設定内容を、当該下層設定画面内に縮小かつ集約して表示させる下層表示機能を備えたことを特徴とする画像形成装置の操作部用表示装置。
【請求項２】
画像形成のための設定内容を表示する上層設定画面と下層設定画面とを表示する画像形成装置の操作部用表示装置において、
前記下層設定画面を前記上層設定画面の一部の上に重ねて表示させるとともに、前記上層設定画面の当該下層設定画面と重なった部分に表示されていた設定内容を、当該下層設定画面内に縮小かつ集約して表示させる下層表示機能を備えたことを特徴とする画像形成装置の操作部用表示装置。
【請求項３】
画像形成のための設定内容を表示する上層設定画面と下層設定画面とを表示する画像形成装置の操作部用表示装置において、
前記下層設定画面を前記上層設定画面の一部の上に重ねて表示させるとともに、前記上層設定画面の当該下層設定画面と重なった部分に表示されていた設定内容を、前記上層設定画面のうちの、当該下層設定画面と重なっていない部分に縮小かつ集約して表示させる下層表示機能を備えたことを特徴とする画像形成装置の操作部用表示装置。
【請求項４】
請求項１〜３の何れか一項に記載の画像形成装置の操作部用表示装置と、画像形成動作の開始ボタンとを備えた画像形成装置において、
前記下層表示機能による前記下層設定画面の表示時に前記開始ボタンの押下操作が為された場合に、前記下層設定画面に表示された設定内容を反映させた画像形成動作を行うことを特徴とする画像形成装置。
【請求項５】
請求項１〜３の何れか一項に記載の画像形成装置の操作部用表示装置と、画像形成動作の開始ボタンとを備えた画像形成装置において、
前記下層表示機能による前記下層設定画面の表示時に前記開始ボタンの押下操作が為された場合、所定の確定指示操作が為されていたときには前記下層設定画面の設定内容を反映させた画像形成動作を行い、前記確定指示操作が為されていないときには前記下層設定画面の設定内容を反映させずに画像形成動作を行うことを特徴とする画像形成装置。
【請求項６】
画像形成のための設定内容を表示する上層設定画面と下層設定画面とを表示する画像形成装置の操作部用表示装置における表示制御方法であって、
前記下層設定画面を表示させる際に、前記上層設定画面を前記下層設定画面に切り替えて表示させるとともに、前記上層設定画面に表示されていた設定内容を、当該下層設定画面内に縮小かつ集約して表示させるように制御することを特徴とする表示制御方法。
【請求項７】
画像形成のための設定内容を表示する上層設定画面と下層設定画面とを表示する画像形成装置の操作部用表示装置における表示制御方法であって、
前記下層設定画面を表示させる際に、前記下層設定画面を前記上層設定画面の一部の上に重ねて表示させるとともに、前記上層設定画面の当該下層設定画面と重なった部分に表示されていた設定内容を、当該下層設定画面内に縮小かつ集約して表示させるように制御することを特徴とする表示制御方法。
【請求項８】
画像形成のための設定内容を表示する上層設定画面と下層設定画面とを表示する画像形成装置の操作部用表示装置における表示制御方法であって、
前記下層設定画面を表示させる際に、前記下層設定画面を前記上層設定画面の一部の上に重ねて表示させるとともに、前記上層設定画面の当該下層設定画面と重なった部分に表示されていた設定内容を、前記上層設定画面のうちの、当該下層設定画面と重なっていない部分に縮小かつ集約して表示させるように制御することを特徴とする表示制御方法。
【発明の詳細な説明】
【技術分野】
【０００１】
本発明は、画像形成のための設定内容を表示する上層設定画面と下層設定画面とを表示する画像形成装置の操作部用表示装置等に関する。
【背景技術】
【０００２】
従来から、複写機やファクシミリ等の画像形成装置において、ユーザの利便性や操作性の向上のために、様々な操作部用表示装置が考案されてきている。代表的な操作部用表示装置としては、表示装置とタッチパネルとを一体的に形成した操作パネルがあり、多くの画像形成装置において実用化されている。
【０００３】
ところで、近年の画像形成装置は多機能化の傾向にあるため、操作部用表示装置に表示される設定画面の種類が増えているのが現状である。一方、操作部用表示装置の表示エリアの大きさは限られている。このため、設定画面を階層化し、（イ）各階層の設定画面を切り替えて表示させたり、（ロ）下層表示の一種であるポップアップ表示をさせたりする手法が取られている。また、（ハ）各階層の設定内容を領域ごとに表示させる（特許文献１、特許文献２参照）操作部用表示装置が知られている。
【特許文献１】特開平７−２０３０９４号公報
【特許文献２】特開２０００−８９８８９号公報
【発明の開示】
【発明が解決しようとする課題】
【０００４】
しかし、（イ）、（ロ）の手法では、上層設定画面を表示させ、更に下層設定画面を表示させると、上層設定画面の設定内容は下層設定画面によって隠されてしまった。また、（ハ）の操作部用表示装置では、表示エリアが階層ごとに区切られてしまうために、各階層の設定内容を全て表示することができなかった。
【０００５】
本発明は、上述した課題に鑑みて為されたものであり、その目的とするところは、下層設定画面を表示させた際にも上層設定画面の設定内容を容易に確認できる下層表示機能を実現することである。
【課題を解決するための手段】
【０００６】
以上の課題を解決するために、請求項１に記載の発明の画像形成装置の操作部用表示装置によれば、画像形成のための設定内容を表示する上層設定画面と下層設定画面とを表示する画像形成装置の操作部用表示装置において、前記上層設定画面を前記下層設定画面に切り替えて表示させるとともに、前記上層設定画面に表示されていた設定内容を、当該下層設定画面内に縮小かつ集約して表示させる下層表示機能を備えることを特徴としている。
【０００７】
また、請求項６に記載の発明の画像形成装置の操作部用表示装置における表示制御方法によれば、画像形成のための設定内容を表示する上層設定画面と下層設定画面とを表示する画像形成装置の操作部用表示装置における表示制御方法であって、前記上層設定画面を前記下層設定画面に切り替えて表示させるとともに、前記上層設定画面に表示されていた設定内容を、当該下層設定画面内に縮小かつ集約して表示させるように制御することを特徴としている。
【０００８】
この請求項１又は６に記載の発明によれば、下層設定画面内において上層設定画面の設定内容が表示されるため、下層設定画面を表示させた際にも上層設定画面の設定内容を容易に確認できる下層表示機能が実現される。また、上層設定画面の設定内容を確認するために、上層設定画面を再表示させるといった操作の手間を軽減することもできる。
【０００９】
また、請求項２に記載の発明の画像形成装置の操作部用表示装置によれば、画像形成のための設定内容を表示する上層設定画面と下層設定画面とを表示する画像形成装置の操作部用表示装置において、前記下層設定画面を前記上層設定画面の一部の上に重ねて表示させるとともに、前記上層設定画面の当該下層設定画面と重なった部分に表示されていた設定内容を、当該下層設定画面内に縮小かつ集約して表示させる下層表示機能を備えることを特徴としている。
【００１０】
また、請求項７に記載の発明の画像形成装置の操作部用表示装置における表示制御方法によれば、画像形成のための設定内容を表示する上層設定画面と下層設定画面とを表示する画像形成装置の操作部用表示装置における表示制御方法であって、前記下層設定画面を表示させる際に、前記下層設定画面を前記上層設定画面の一部の上に重ねて表示させるとともに、前記上層設定画面の当該下層設定画面と重なった部分に表示されていた設定内容を、当該下層設定画面内に縮小かつ集約して表示させるように制御することを特徴としている。
【００１１】
この請求項２又は７に記載の発明によれば、下層設定画面内に、下層設定画面によって隠されてしまった上層設定画面の設定内容が表示される。このため、下層設定画面を表示させた際にも上層設定画面の設定内容を容易に確認できる下層表示機能が実現される。また、上層設定画面の設定内容を確認するために、上層設定画面を再表示させるといった操作の手間を軽減することもできる。
【００１２】
また、請求項３に記載の発明の画像形成装置の操作部用表示装置によれば、画像形成のための設定内容を表示する上層設定画面と下層設定画面とを表示する画像形成装置の操作部用表示装置において、前記下層設定画面を前記上層設定画面の一部の上に重ねて表示させるとともに、前記上層設定画面の当該下層設定画面と重なった部分に表示されていた設定内容を、前記上層設定画面のうちの、当該下層設定画面と重なっていない部分に縮小かつ集約して表示させる下層表示機能を備えることを特徴としている。
【００１３】
請求項８に記載の発明の画像形成装置の操作部用表示装置における表示制御方法によれば、画像形成のための設定内容を表示する上層設定画面と下層設定画面とを表示する画像形成装置の操作部用表示装置における表示制御方法であって、前記下層設定画面を表示させる際に、前記下層設定画面を前記上層設定画面の一部の上に重ねて表示させるとともに、前記上層設定画面の当該下層設定画面と重なった部分に表示されていた設定内容を、前記上層設定画面のうちの、当該下層設定画面と重なっていない部分に縮小かつ集約して表示させるように制御することを特徴としている。
【００１４】
この請求項３又は８に記載の発明によれば、上層設定画面内の下層設定画面と重なっていない部分において、下層設定画面によって隠されてしまった上層設定画面の設定内容が表示される。このため、下層設定画面を表示させた際にも上層設定画面の設定内容を容易に確認できる下層表示機能が実現される。また、上層設定画面の設定内容を確認するために、上層設定画面を再表示させるといった操作の手間を軽減することもできる。
【００１５】
請求項４に記載の発明によれば、請求項１〜３の何れか一項に記載の画像形成装置の操作部用表示装置と、画像形成動作の開始ボタンとを備えた画像形成装置において、前記下層表示機能による前記下層設定画面の表示時に前記開始ボタンの押下操作が為された場合に、前記下層設定画面に表示された設定内容を反映させた画像形成動作を行うことを特徴としている。
【００１６】
この請求項４に記載の発明によれば、請求項１〜３の何れか一項に記載の発明と同一の効果を奏するとともに、下層設定画面の表示時に開始ボタンの押下操作が為されることで、下層設定画面に表示されている設定内容を確定し、更に当該設定内容を反映した画像形成動作を行う。このため、下層設定画面の設定内容を確定するための煩わしい操作を行わずに画像形成動作を行わせることができる。
【００１７】
請求項５に記載の発明によれば、請求項１〜３の何れか一項に記載の画像形成装置の操作部用表示装置と、画像形成動作の開始ボタンとを備えた画像形成装置において、前記下層表示機能による前記下層設定画面の表示時に前記開始ボタンの押下操作が為された場合、所定の確定指示操作が為されていたときには前記下層設定画面の設定内容を反映させた画像形成動作を行い、前記確定指示操作が為されていないときには前記下層設定画面の設定内容を反映させずに画像形成動作を行うことを特徴としている。
【００１８】
この請求項５に記載の発明によれば、請求項１〜３の何れか一項に記載の発明と同一の効果を奏するとともに、下層設定画面の表示時に開始ボタンの押下操作と確定指示操作とが為されていれば、当該下層設定画面の設定内容を反映した画像形成動作を行う。また、確定指示操作が為されていなければ、当該下層設定画面の設定内容を反映しない画像形成動作を行う。このため、下層設定画面の表示から画像形成動作までの間に、設定内容を確定するために１段階の確定指示操作を設けることで、画像形成動作のための設定ミスを防ぐことができる。
【発明の効果】
【００１９】
請求項１又は６に記載の発明によれば、下層設定画面内において上層設定画面の設定内容が表示されるため、上層設定画面の設定内容を確認するために、上層設定画面を再表示させるといった操作の手間を軽減することができる。
【００２０】
請求項２又は７に記載の発明によれば、下層設定画面内に、下層設定画面によって隠されてしまった上層設定画面の設定内容が表示される。このため、上層設定画面の設定内容を確認するために、上層設定画面を再表示させるといった操作の手間を軽減することができる。
【００２１】
請求項３又は８に記載の発明によれば、上層設定画面内の下層設定画面と重なっていない部分において、下層設定画面によって隠されてしまった上層設定画面の設定内容が表示される。このため、上層設定画面の設定内容を確認するために、上層設定画面を再表示させるといった操作の手間を軽減することができる。
【００２２】
請求項４に記載の発明によれば、下層設定画面の表示時に開始ボタンの押下操作が為されることで、下層設定画面に表示されている設定内容を確定し、更に当該設定内容を反映した画像形成動作を行う。このため、下層設定画面の設定内容を確定するための煩わしい操作を行わずに画像形成動作を行わせることができる。
【００２３】
請求項５に記載の発明によれば、下層設定画面の表示時に開始ボタンの押下操作と確定指示操作とが為されていれば、当該下層設定画面の設定内容を反映した画像形成動作を行う。また、確定指示操作が為されていなければ、当該下層設定画面の設定内容を反映しない画像形成動作を行う。このため、下層設定画面の表示から画像形成動作までの間に、設定内容を確定するために１段階の確定指示操作を設けることで、画像形成動作のための設定ミスを防ぐことができる。
【発明を実施するための最良の形態】
【００２４】
先ず、本発明を適用した複写機１全体の概要を説明した後、本実施形態の特徴である下層表示機能に関する２つの処理と、下層設定画面表示時の画像形成動作に関する３つの処理とについて説明する。尚、本発明の画像形成装置を適用可能なものは複写機に限らず、プリンタや複合機、プロッター等についても同様に適用可能である。
【００２５】
１．複写機全体概要
図１は本発明を適用した複写機１の構成を表すブロック図であり、図２は複写機１の縦断面図であり、図３は複写機１の操作部用表示装置９の概観図である。図１に示すように、複写機１は、スキャナ部３、画像形成部４、供給部５、本体制御部６、画像処理部７、操作部用表示装置９等によって構成された本体部２と、後処理部８とを備えて構成される。
【００２６】
スキャナ部３は、原稿載置台３０に載置された原稿を画像データとして読み取る機能部である。具体的には、原稿載置台３０に載置された原稿をコンタクトガラス３２に搬送した後、光源３６から照射され原稿で反射した反射光を、第１ミラーユニット３９に備えられた第1ミラー３１と、第２ミラーユニット３３に備えられた第２ミラー３５及び第３ミラー３７と、結像レンズ３８とを介してＣＣＤ（Charge Coupled Devices）３２に入射して画像データとして読み取る。
【００２７】
画像形成部４は、転写紙Ｐに画像を形成する機能部であり、露光部４４から発せられるレーザビームＬにより感光ドラム４２を露光走査し、画像データに基づく静電潜像を形成する。次いで、現像部４６により現像材を感光ドラム４２に吸着させ、転写紙Ｐに転写する。そして、定着部４８において転写紙Ｐにトナーを熱定着させることにより画像を形成する。
【００２８】
供給部５は、給紙トレイ５０に収容又は載置された転写紙Ｐを、搬送経路５２を介して画像形成部４に供給し、画像形成部４によって画像形成された転写紙Ｐを後処理部８に搬送する機能部である。
【００２９】
本体制御部６は、ＣＰＵやＲＯＭ、ＲＡＭ等によって構成され、操作部用表示装置９から入力された設定内容、及びＲＯＭに記憶されたプログラムに従い、複写機１を統括的に制御することで、複写機１の画像形成動作を実現する。画像処理部７は、本体制御部６から入力される処理要求に応じて、スキャナ部３から入力される画像データの各種加工処理を行う。
【００３０】
後処理部８は、操作部用表示装置９から入力された設定内容に応じて、パンチホール開け処理を行うパンチ処理部８０、ステイプルによる綴じ処理を行うステイプル処理部８２、転写紙Ｐを折り畳む折り畳み処理部８４等を備える。
【００３１】
操作部用表示装置９は、画像形成動作に際する複写機１の動作状況及び各種設定内容等を表示する装置であり、入力ボタン９６や、一体的に形成されたタッチパネルによって設定内容を入力、変更等することが可能な装置である。操作部用表示装置９を集中制御するＣＰＵ等からなる制御部９０のほか、表示部９１、ＲＡＭ９２、ＲＯＭ９４、入力ボタン９６、タッチパネル９８等を備えて構成される。
【００３２】
制御部９０は、ＣＰＵ等によって構成され、ＲＯＭ９４に格納されたプログラムに従って操作部用表示装置９を集中制御する。表示部９１は、複写機１の動作状況や設定画面等を表示する表示装置によって構成され、タッチパネル９８と一体的に形成されている。入力ボタン９６は、開始ボタン９ａや数値ボタン群９ｂ等によって構成される。
【００３３】
２．下層表示機能
２．１  下層表示処理〔フル画面表示〕
（１）下層表示処理〔フル画面表示〕を実現するための構成
図４は、下層表示処理〔フル画面表示〕に係るＲＡＭ９２及びＲＯＭ９４の構成を示す図である。ＲＡＭ９２は、表示位置格納領域９２０と確定設定内容格納テーブル９２２とを備える。表示位置格納領域９２０は、上層設定画面の設定内容を下層設定画面に縮小かつ集約して表示させる際の各設定項目の表示位置を格納する。
【００３４】
確定設定内容格納テーブル９２２は、設定画面名と、設定項目と、設定項目に対する設定内容とを対応付けて格納する。図６は、確定設定内容格納テーブル９２２のデータ構成の一例を示した図である。同図に示すように、「基本機能画面」には、「出力」、「両面選択」等の５つの設定項目が対応付けられ、設定項目「出力」には設定内容「ステイプルソート」が対応付けられている。
【００３５】
ＲＯＭ９４は、下層表示プログラム９４０と、設定画面情報テーブル９４２とを格納する。図５は、設定画面情報テーブル９４２のデータ構成の一例を示した図である。設定画面情報テーブル９４２は、設定画面名と、設定項目数とを対応付けて格納するためのデータテーブルである。同図に示すように、例えば「基本機能画面」には、設定項目数として「５」が対応付けられている。
【００３６】
図９（ａ）に基本機能画面の一例を示す。基本機能画面Ｗ１には、後処理部８における処理を設定するための出力設定項目Ｔ１と、転写紙Ｐの片面又は両面のどちらに複写処理を実行するかを設定するための両面選択設定項目Ｔ３と、コピー濃度を設定するためのコピー濃度設定項目Ｔ５と、コピー倍率を設定するための倍率設定項目Ｔ７と、転写紙Ｐのサイズを設定するためのサイズ選択項目Ｔ９とが含まれ、各設定項目に対して設定されている内容については反転表示Ｍ１のように識別表示される。また、基本機能画面Ｗ１の下層設定画面である原稿設定画面Ｗ５と応用機能画面Ｗ３とを表示させるための原稿設定キーＫ１と応用機能キーＫ３とが応用設定項目Ｔ１１に表示される。
【００３７】
図９（ｂ）に応用機能画面Ｗ３の一例を示す。応用機能画面Ｗ３には、応用機能キー群Ｋ５と、縮小集約表示セルＳ１〜Ｓ９と、確定キーＫ９と、戻るキーＫ１１とが表示される。図１２（ａ）に原稿設定画面Ｗ５の一例を示す。原稿設定画面Ｗ５には、原稿設定キー群Ｋ７と、縮小集約表示セルＳ１１〜Ｓ１９と、確定キーＫ９と、戻るキーＫ１１とが表示される。
【００３８】
図７は、設定画面間の階層構造を示した図である。最上位の階層はトップ画面であり、以下に行くに従って第１下層画面、は第２下層画面、・・・という階層構造になっている。同図に示すように、トップ画面は「基本機能画面」であり、第１下層画面には「応用機能画面」、「原稿設定画面」等がある。また、「応用機能画面」の下層である第２下層画面には「インターシート」、「章分け」等がある。
【００３９】
（２）下層表示処理〔フル画面表示〕の動作
次に、下層表示処理〔フル画面表示〕に係る操作部用表示装置９の動作について、図９に示す画面操作例を具体例として、図８に示すフローチャートに基づいて説明する。尚、下層表示処理〔フル画面表示〕として実現される動作は図９の操作例のみでないことは勿論である。
【００４０】
基本機能画面Ｗ１が表示された状態（図９（ａ）参照）で、ユーザによって応用機能キーＫ３が押下されると、制御部９０は、下層表示プログラム９４０をＲＯＭ９４から読み出し、下層表示処理〔フル画面表示〕を開始する。
【００４１】
下層表示処理〔フル画面表示〕を開始すると、制御部９０は設定画面情報テーブル９４２から基本機能画面Ｗ１に対応する設定項目数「５」を読み出す（ステップＡ１）。次いで、応用機能画面Ｗ３の未表示領域Ｔ１３に基本機能画面Ｗ１の設定項目を表示させるときの、各設定項目の表示位置を算出し（ステップＡ３）、当該表示位置を表示位置格納領域９２０に記憶させる（ステップＡ５）。
【００４２】
そして、応用機能画面Ｗ３の設定内容を確定設定内容格納テーブル９２２から読み出し（ステップＡ７）、基本機能画面Ｗ１を応用機能画面Ｗ３に切り替えて表示させる（ステップＡ９）。次いで、制御部９０は、基本機能画面Ｗ１の設定内容を確定設定内容格納テーブル９２２から読み出す（ステップＡ１１）。
【００４３】
そして、表示位置格納領域９２０に記憶されている表示位置に基づいて、読み出した設定内容を未表示領域Ｔ１３の縮小集約表示セルＳ１〜９に縮小かつ集約して表示させる（ステップＡ１３）（図９（ｂ））。具体的には、出力設定内容を表す「ステイプル」、両面選択設定内容を表す「片→片」、コピー濃度設定内容を表す「濃度自動」、倍率設定内容を表す「×１．００」、サイズ選択設定内容を表す「サイズ自動」といったように、ユーザが容易に認識できる程度に設定内容を縮小かつ集約させて表示させる。
【００４４】
この下層表示処理〔フル画面表示〕によれば、ユーザは、上層設定画面の設定内容を下層設定画面上で確認できるため、上層設定画面の設定内容を確認するために逐一上層設定画面を再表示させるといった手間を軽減できる。また、上層設定画面の設定内容を確認しながら下層設定画面の設定をすることができるため、下層設定画面の設定ミスを防ぐこともできる。
【００４５】
２．２  下層表示処理〔ポップアップ表示〕
（１）下層表示処理〔ポップアップ表示〕を実現するための構成
下層表示処理〔ポップアップ表示〕を実現するための構成は、図４に示したＲＯＭ９４を図１０に示すＲＯＭ９４ｂに置き換えたものであり、ＲＯＭ９４ｂは、図４に示したＲＯＭ９４の下層表示プログラム９４０を、下層表示処理〔ポップアップ表示〕を実現するための下層表示プログラム９４６に置き換えた構成である。
【００４６】
（２）下層表示処理〔ポップアップ表示〕の動作
下層表示処理〔ポップアップ表示〕に係る操作部用表示装置９の動作について、図１２（ａ）に示す画面例を具体例として、図１１に示すフローチャートに基づいて説明する。尚、下層表示処理〔ポップアップ表示〕として実現される動作は図１２（ａ）の画面例のみでないことは勿論である。
【００４７】
基本機能画面Ｗ１が表示された状態（図９（ａ）参照）で、ユーザによって原稿設定キーＫ１が押下されると、制御部９０は、下層表示プログラム９４６をＲＯＭ９４ｂから読み出し、下層表示処理〔ポップアップ表示〕を開始する。
【００４８】
下層表示処理〔ポップアップ表示〕を開始すると、下層表示処理〔フル画面表示〕と同様に、制御部９０は、基本機能画面Ｗ１に対応する設定項目数「５」を読み出し、未表示領域Ｔ１５に基本機能画面Ｗ１の設定項目を表示させるための表示位置を算出し、表示位置格納領域９２０に記憶する（ステップＡ１→Ａ５）。
【００４９】
そして、原稿設定画面Ｗ５の設定内容を確定設定内容格納テーブル９２２から読み出し（ステップＢ７）、基本機能画面Ｗ１の中央部分（一部）の上に重ねて応用機能画面Ｗ３をポップアップ表示させる（ステップＢ９）。
【００５０】
次いで、制御部９０は、基本機能画面Ｗ１の設定内容を確定設定内容格納テーブル９２２から読み出す（ステップＡ１１）。そして、表示位置格納領域９２０に記憶されている表示位置に基づいて、読み出した設定内容を未表示領域Ｔ１５の縮小集約表示セルＳ１１〜Ｓ１９に縮小かつ集約して表示させ（ステップＢ１３）、下層表示処理〔ポップアップ表示〕を終了する。（図１２（ａ）参照）
この下層表示処理〔ポップアップ表示〕によれば、上層設定画面の設定内容とポップアップ画面の設定内容とを並べて確認できるため、ユーザは、上層設定画面の設定内容を確認するために逐一上層設定画面を再表示させるといった操作の手間を軽減できる。
【００５１】
尚、ステップＢ１３において、上層設定画面の設定内容を縮小かつ集約して表示させる領域を応用機能画面Ｗ３（ポップアップ画面）の外としたが、本発明が適用可能なものはこれに限られるものではなく、適宜変更可能である。例えば、応用機能画面Ｗ３内の未表示領域Ｔ１７に上層設定画面の設定内容を縮小かつ集約して表示させる（図１２（ｂ）参照）といったように、下層設定画面を上層設定画面の一部の上に重ねて表示させるとともに、上層設定画面の下層設定画面と重なった部分に表示されていた設定内容を、下層設定画面内に縮小かつ集約して表示させてもよい。
【００５２】
２．３  変形例
上述の下層表示処理〔フル画面表示〕及び下層表示処理〔ポップアップ表示〕において、縮小集約表示される内容は、既に確定されている上層設定画面の設定内容であった。しかし、下層設定画面の設定内容と、上層設定画面の設定の内容との間に矛盾が発生してしまう場合がある。その場合は、下層設定画面の設定内容を優先し、当該設定内容に合わせて上層設定画面の設定内容と縮小集約表示とを自動更新するようにしてもよい。
【００５３】
具体的には、例えば基本機能画面Ｗ１の両面選択設定項目Ｔ３において、「両面→両面」を選択した後に、応用機能画面Ｗ３において「ページ連写」を選択したとする。「ページ連写」は、ブック原稿を左右のページそれぞれを独立して片面複写する機能であるから、原稿の複写面は「片面」となる。そのため、確定設定内容格納テーブル９２２の「両面選択」の設定内容を「片面→両面」に、縮小集約表示セルＳ３又はＳ１３を「片→両」に、自動的に更新表示させる。
【００５４】
３．下層設定画面表示時の画像形成処理
次に、操作部用表示装置９に下層設定画面を表示させた状態で画像形成動作を実行させるまでの処理について説明する。
【００５５】
３．１  第１の画像形成処理
図１３は第１の画像形成処理のフローチャートである。ユーザによって下層設定画面が表示されると、制御部９０は、図示しない第１の画像形成プログラムを本体制御部６が有するＲＯＭから読み出して第１の画像形成処理の実行を開始する。
【００５６】
先ず、制御部９０は、設定項目キー群の何れか１つが選択操作されることによって設定内容が変更されると（ステップＣ１：Ｙｅｓ）、変更された内容で設定内容を即時に確定する（ステップＣ３）。次いで、ユーザによって開始ボタン９ａの押下操作が為されると（ステップＣ５：Ｙｅｓ）、制御部９０が、本体制御部６に設定内容を送信して複写機１に設定内容を反映した画像形成動作の実行を開始させることにより、画像形成処理が実行される（ステップＣ７）。
【００５７】
画像形成処理の後、ユーザによって戻るキーＫ１１の押下操作が為されると（ステップＣ９：Ｙｅｓ）、第１の画像形成処理を終了する。また、戻るキーＫ１１の押下操作が為されなければ（ステップＣ９：Ｎｏ）、ステップＣ１へ処理を移行する。
【００５８】
この第１の画像形成処理によれば、表示部９１に表示させた設定内容からユーザが所望の設定内容を選択操作することによって即時に設定内容が確定されるため、即時に設定内容を反映させた画像形成動作を実行させることができる。
【００５９】
３．２  第２の画像形成処理
図１４は第２の画像形成処理のフローチャートである。ユーザによって下層設定画面が表示されると、制御部９０は、図示しない第２の画像形成プログラムを本体制御部６が有するＲＯＭから読み出して第２の画像形成処理の実行を開始する。
【００６０】
先ず、ユーザによって設定内容が変更されると（ステップＤ１：Ｙｅｓ）、制御部９０は、当該設定内容を一時的にＲＡＭ９２に記憶させる（ステップＤ３）。次いで、設定内容の確定指示に相当する確定キーＫ９の押下操作が為されると（ステップＤ５：Ｙｅｓ）、ＲＡＭ９２に記憶させた設定内容で設定内容を確定する（ステップＤ７）。
【００６１】
次いで、第１の画像形成処理と同様に、ユーザによって開始ボタン９ａの押下操作が為されると（ステップＤ９：Ｙｅｓ）、確定された設定内容に基づく画像形成動作を複写機１に実行させる（ステップＤ１１）。そして、画像形成処理の後、ユーザによって戻るキーＫ１１の押下操作が為されると（ステップＤ１３：Ｙｅｓ）、第２の画像形成処理を終了する。
【００６２】
この第２の画像形成処理によれば、表示部９１に表示させた設定内容からユーザが所望の設定内容を選択操作し、更に確定キーＫ９の押下操作をすることによって設定内容が確定される。従って、下層設定画面の表示から画像形成動作までの間に、確定キーＫ９を押下するという確定指示操作を設けることで、画像形成動作の設定ミスを防ぐことができる。
【００６３】
３．３  第３の画像形成処理
図１５は第３の画像形成処理のフローチャートである。ユーザによって下層設定画面が表示されると、制御部９０は、図示しない第３の画像形成プログラムを本体制御部６が有するＲＯＭから読み出して、第３の画像形成処理の実行を開始する。
【００６４】
先ず、第２の画像形成処理と同様に、ユーザによって設定内容が変更されると（ステップＥ１：Ｙｅｓ）、制御部９０は、設定内容を一時的にＲＡＭ９２に記憶させる（ステップＥ３）。次いで、開始ボタン９ａの押下操作が為されたか否かを判定し、為された場合には（ステップＥ５：Ｙｅｓ）、ＲＡＭ９２に記憶された内容で設定内容を確定する（ステップＥ７）。
【００６５】
そして、制御部９０が確定した設定内容を本体制御部６に送信することにより、複写機１に画像形成動作の実行を開始させる（ステップＥ９）。画像形成処理の後、戻るキーＫ１１の押下操作が為されたか否かを判定する（ステップＥ１１）。押下操作が為された場合は（ステップＥ１１：Ｙｅｓ）、ＲＡＭ９２に記憶された内容で設定内容を確定し（ステップＥ１３）、第３の画像形成処理を終了する。
【００６６】
この第３の画像形成処理によれば、開始ボタン９ａの押下操作が下層設定画面の設定内容の確定指示操作とみなされる。このため、下層設定画面の表示時に画像形成が可能であるとともに、画像形成動作の開始指示となる開始ボタン９ａの押下操作という１回の操作で下層設定画面の設定内容の確定も行うことができる。
【図面の簡単な説明】
【００６７】
【図１】複写機の機能構成の一例を示すブロック図。
【図２】複写機の縦断面図の一例。
【図３】複写機の操作部用表示装置の一例。
【図４】下層表示処理〔フル画面表示〕における（ａ）はＲＡＭの構成の一例を示す図、（ｂ）はＲＯＭの構成の一例を示す図。
【図５】設定画面情報テーブルの一例を示す図。
【図６】確定設定内容格納テーブルの一例を示す図。
【図７】設定画面間のツリー構造を示す図。
【図８】下層表示処理〔フル画面表示〕を説明するためのフローチャート。
【図９】下層表示処理〔フル画面表示〕における複写機の操作例を説明するための画面遷移例を示す図。
【図１０】下層表示処理〔ポップアップ表示〕におけるＲＯＭの構成の一例を示す図。
【図１１】下層表示処理〔ポップアップ表示〕を説明するためのフローチャート。
【図１２】下層表示処理〔ポップアップ表示〕における複写機の操作例を説明するための画面例を示す図。
【図１３】第１の画像形成処理を説明するためのフローチャート。
【図１４】第２の画像形成処理を説明するためのフローチャート。
【図１５】第３の画像形成処理を説明するためのフローチャート。
【符号の説明】
【００６８】
９０  制御部
９１  表示部
９２  ＲＡＭ
９４  ＲＯＭ
９６  入力ボタン
９８  タッチパネル
【図１】
2005057579.tif 000003
【図２】
2005057579.tif 000004
【図３】
2005057579.tif 000005
【図４】
2005057579.tif 000006
【図５】
2005057579.tif 000007
【図６】
2005057579.tif 000008
【図７】
2005057579.tif 000009
【図８】
2005057579.tif 000010
【図９】
2005057579.tif 000011
【図１０】
2005057579.tif 000012
【図１１】
2005057579.tif 000013
【図１２】
2005057579.tif 000014
【図１３】
2005057579.tif 000015
【図１４】
2005057579.tif 000016
【図１５】
2005057579.tif 000017